(57)【要約】      （修正有）【課題】マンマシンインタラクション効果を高めるテレビデスクトップの表示方法及び装置を提供する。【解決手段】テレビデスクトップの表示方法は、デスクトップ表示コマンドを受信するステップと、デスクトップ表示コマンドに基づき、複数のデスクトップ及び複数のデスクトップのそれぞれに対応する表示時間を取得するステップと、複数のデスクトップのそれぞれに対応する表示時間に基づき、複数のデスクトップを循環表示するステップと、複数のデスクトップのそれぞれに対応する表示時間に基づき、複数のデスクトップを循環表示するステップと、を含む。【選択図】図２
2020184743.tif 000002
【特許請求の範囲】
【請求項１】
テレビデスクトップの表示方法であって、
デスクトップ表示コマンドを受信するステップと、
前記デスクトップ表示コマンドに基づき、複数のデスクトップ及び前記複数のデスクトップのそれぞれに対応する表示時間を取得するステップと、
前記複数のデスクトップのそれぞれに対応する表示時間に基づき、前記複数のデスクトップを循環表示するステップと、を含むことを特徴とするテレビデスクトップの表示方法。
【請求項２】
前記デスクトップは、ユーザが音声コマンドを入力することを案内するための音声案内情報を含むことを特徴とする請求項１に記載の方法。
【請求項３】
現在、第１デスクトップを表示する場合、ユーザから入力された音声ウェイクアップワードを受信するステップと、
ウェイクアップされた後の予め設定された期間内にユーザから入力された音声コマンドを受信すると、前記複数のデスクトップの循環表示を停止するとともに、前記音声コマンドを処理するステップと、をさらに含むことを特徴とする請求項１に記載の方法。
【請求項４】
ウェイクアップされた後の予め設定された期間内にユーザから入力された音声コマンドを受信していない場合、続いて前記複数のデスクトップを循環表示するステップをさらに含むことを特徴とする請求項３に記載の方法。
【請求項５】
前記デスクトップ表示コマンドに基づき、複数のデスクトップ及び前記複数のデスクトップのそれぞれに対応する表示時間を取得する前記ステップは、
前記デスクトップ表示コマンドに基づき、デスクトップ表示ルールを取得するステップと、
前記デスクトップ表示ルールに基づき、前記複数のデスクトップ及び前記複数のデスクトップのそれぞれに対応する表示時間を取得するステップと、を含むことを特徴とする請求項１から４のいずれか１項に記載の方法。
【請求項６】
前記デスクトップ表示ルールに基づき、前記複数のデスクトップ及び前記複数のデスクトップのそれぞれに対応する表示時間を取得する前記ステップは、
前記デスクトップ表示ルールに基づき、複数の表示テーマ及び各表示テーマに対応する、ユーザが前記表示テーマを選択する確率を指示するためのヒット率を取得するステップと、
前記複数の表示テーマ、各表示テーマに対応するヒット率及び予め設定されたデスクトップ表示テンプレートに基づき、前記複数のデスクトップ及び前記複数のデスクトップのそれぞれに対応する表示時間を取得し、前記デスクトップが少なくとも１つの前記表示テーマを含むステップと、を含むことを特徴とする請求項５に記載の方法。
【請求項７】
複数のデスクトップのそれぞれに対応する表示時間を取得するステップは、
前記複数のデスクトップのそれぞれに対応するデスクトップ表示テンプレートの表示時間を前記複数のデスクトップのそれぞれに対応する表示時間として決定するステップを含むことを特徴とする請求項６に記載の方法。
【請求項８】
前記デスクトップ表示ルールは、デフォルト表示デスクトップに基づいた表示、ユーザの履歴視聴情報に基づいた表示、ユーザの履歴検索情報に基づいた表示、ユーザの好み情報に基づいた表示、及びユーザのユーザ画像情報に基づいた表示、のうちの少なくとも１つを含むことを特徴とする請求項５に記載の方法。
【請求項９】
テレビデスクトップの表示装置であって、
デスクトップ表示コマンドを受信するために用いられる受信モジュールと、
前記デスクトップ表示コマンドに基づき、複数のデスクトップ及び前記複数のデスクトップのそれぞれに対応する表示時間を取得するために用いられる取得モジュールと、
前記複数のデスクトップのそれぞれに対応する表示時間に基づき、前記複数のデスクトップを循環表示するために用いられる制御モジュールと、を含むことを特徴とするテレビデスクトップの表示装置。
【請求項１０】
前記デスクトップは、ユーザが音声コマンドを入力することを案内するための音声案内情報を含むことを特徴とする請求項９に記載の装置。
【請求項１１】
現在、第１デスクトップを表示する場合、前記受信モジュールはさらに、ユーザから入力された音声ウェイクアップワードを受信するために用いられ、
前記制御モジュールはさらに、ウェイクアップされた後の予め設定された期間内にユーザから入力された音声コマンドを受信すると、前記複数のデスクトップの循環表示を停止するとともに、前記音声コマンドを処理するために用いられることを特徴とする請求項９に記載の装置。
【請求項１２】
前記制御モジュールはさらに、
ウェイクアップされた後の予め設定された期間内にユーザから入力された音声コマンドを受信していない場合、続いて前記複数のデスクトップを循環表示するために用いられることを特徴とする請求項１１に記載の装置。
【請求項１３】
前記取得モジュールは具体的には、
前記デスクトップ表示コマンドに基づき、デスクトップ表示ルールを取得し、
前記デスクトップ表示ルールに基づき、前記複数のデスクトップ及び前記複数のデスクトップのそれぞれに対応する表示時間を取得するために用いられることを特徴とする請求項９〜１２のいずれか１項に記載の装置。
【請求項１４】
前記取得モジュールは具体的には、
前記デスクトップ表示ルールに基づき、複数の表示テーマ及び各表示テーマに対応する、ユーザが前記表示テーマを選択する確率を指示するためのヒット率を取得し、
前記複数の表示テーマ、各表示テーマに対応するヒット率及び予め設定されたデスクトップ表示テンプレートに基づき、前記複数のデスクトップ及び前記複数のデスクトップのそれぞれに対応する表示時間を取得し、前記デスクトップが少なくとも１つの前記表示テーマを含むために用いられることを特徴とする請求項１３に記載の装置。
【請求項１５】
前記取得モジュールは具体的には、
前記複数のデスクトップのそれぞれに対応するデスクトップ表示テンプレートの表示時間を前記複数のデスクトップのそれぞれに対応する表示時間として決定するために用いられることを特徴とする請求項１４に記載の装置。
【請求項１６】
前記デスクトップ表示ルールは、デフォルト表示デスクトップに基づいた表示、ユーザの履歴視聴情報に基づいた表示、ユーザの履歴検索情報に基づいた表示、ユーザの好み情報に基づいた表示、及びユーザのユーザ画像情報に基づいた表示、のうちの少なくとも１つを含むことを特徴とする請求項１３に記載の装置。
【請求項１７】
テレビデスクトップの表示装置であって、メモリ及びプロセッサを含み、
前記メモリは、プログラムコマンドを記憶するために用いられ、
前記プロセッサは、請求項１〜８のいずれか１項に記載のテレビデスクトップの表示方法を実現するように、前記メモリに記憶された前記プログラムコマンドを呼び出すために用いられることを特徴とするテレビデスクトップの表示装置。
【請求項１８】
記憶媒体であって、読み取り可能な記憶媒体及びコンピュータプログラムを含み、前記コンピュータプログラムが請求項１〜８のいずれか１項に記載のテレビデスクトップの表示方法を実現するために用いられることを特徴とする記憶媒体。
【発明の詳細な説明】
【技術分野】
【０００１】
本発明は、スマート家電の技術分野に関し、特に、テレビデスクトップの表示方法及び装置に関する。
【背景技術】
【０００２】
科学技術の持続的な発展に伴い、テレビが益々スマート化になっている。スマートテレビは、双方向のマンマシンインタラクション機能を実現でき、ビデオ、エンターテインメント、データなどの複数の機能を一体に集め、ユーザ多様化及びパーソナライズのニーズを満たす。
【０００３】
現在、スマートテレビは、常にリモコンによって制御される。テレビデスクトップもリモコンクリックのインタラクティブモードに応じて設計されたものである。例えば、テレビ電源を入れた後に、ホームページを表示する。ユーザは、リモコンにおける上、下、左、又は右へのボタンをクリックすることにより、スマートテレビに制御コマンドを送信し、それにより異なるテレビデスクトップの間の切り替えを実現する。
【０００４】
しかし、リモコンによってテレビデスクトップに対する制御を実現するためには、ユーザが常にリモコンを操作することを必要とし、マンマシンインタラクション効果を低くする。
【発明の概要】
【発明が解決しようとする課題】
【０００５】
本発明は、テレビデスクトップの表示方法及び装置を提供し、マンマシンインタラクション効果を高めさせる。
【課題を解決するための手段】
【０００６】
本発明の第１の態様にて提供されるテレビデスクトップの表示方法は、
デスクトップ表示コマンドを受信するステップと、
前記デスクトップ表示コマンドに基づき、複数のデスクトップ及び前記複数のデスクトップのそれぞれに対応する表示時間を取得するステップと、
前記複数のデスクトップのそれぞれに対応する表示時間に基づき、前記複数のデスクトップを循環表示するステップと、を含む。
【０００７】
第１の態様の可能な実施形態では、前記デスクトップは、ユーザが音声コマンドを入力することを案内するための音声案内情報を含む。
【０００８】
第１の態様の可能な実施形態では、
現在、第１デスクトップを表示する場合、ユーザから入力された音声ウェイクアップワードを受信するステップと、
ウェイクアップされた後の予め設定された期間内にユーザから入力された音声コマンドを受信すると、前記複数のデスクトップの循環表示を停止するとともに、前記音声コマンドを処理するステップと、をさらに含む。
【０００９】
第１の態様の可能な実施形態では、
ウェイクアップされた後の予め設定された期間内にユーザから入力された音声コマンドを受信していない場合、続いて前記複数のデスクトップを循環表示するステップをさらに含む。
【００１０】
第１の態様の可能な実施形態では、前記デスクトップ表示コマンドに基づき、複数のデスクトップ及び前記複数のデスクトップのそれぞれに対応する表示時間を取得する前記ステップは、
前記デスクトップ表示コマンドに基づき、デスクトップ表示ルールを取得するステップと、
前記デスクトップ表示ルールに基づき、前記複数のデスクトップ及び前記複数のデスクトップのそれぞれに対応する表示時間を取得するステップと、を含む。
【００１１】
第１の態様の可能な実施形態では、前記デスクトップ表示ルールに基づき、前記複数のデスクトップ及び前記複数のデスクトップのそれぞれに対応する表示時間を取得する前記ステップは、
前記デスクトップ表示ルールに基づき、複数の表示テーマ及び各表示テーマに対応する、ユーザが前記表示テーマを選択する確率を指示するためのヒット率を取得するステップと、
前記複数の表示テーマ、各表示テーマに対応するヒット率及び予め設定されたデスクトップ表示テンプレートに基づき、前記複数のデスクトップ及び前記複数のデスクトップのそれぞれに対応する表示時間を取得し、前記デスクトップが少なくとも１つの前記表示テーマを含むステップと、を含む。
【００１２】
第１の態様の可能な実施形態では、複数のデスクトップのそれぞれに対応する表示時間を取得するステップは、
前記複数のデスクトップのそれぞれに対応するデスクトップ表示テンプレートの表示時間を前記複数のデスクトップのそれぞれに対応する表示時間として決定するステップを含む。
【００１３】
第１の態様の可能な実施形態では、前記デスクトップ表示ルールは、デフォルト表示デスクトップに基づいた表示、ユーザの履歴視聴情報に基づいた表示、ユーザの履歴検索情報に基づいた表示、ユーザの好み情報に基づいた表示、及びユーザのユーザ画像情報に基づいた表示、のうちの少なくとも１つを含む。
【００１４】
本発明の第２の態様にて提供されるテレビデスクトップの表示装置は、
デスクトップ表示コマンドを受信するために用いられる受信モジュールと、
前記デスクトップ表示コマンドに基づき、複数のデスクトップ及び前記複数のデスクトップのそれぞれに対応する表示時間を取得するために用いられる取得モジュールと、
前記複数のデスクトップのそれぞれに対応する表示時間に基づき、前記複数のデスクトップを循環表示するために用いられる制御モジュールと、を含む。
【００１５】
第２の態様の可能な実施形態では、前記デスクトップは、ユーザが音声コマンドを入力することを案内するための音声案内情報を含む。
【００１６】
第２の態様の可能な実施形態では、現在、第１デスクトップを表示する場合、前記受信モジュールはさらに、ユーザから入力された音声ウェイクアップワードを受信するために用いられ、
前記制御モジュールはさらに、ウェイクアップされた後の予め設定された期間内にユーザから入力された音声コマンドを受信すると、前記複数のデスクトップの循環表示を停止するとともに、前記音声コマンドを処理するために用いられる。
【００１７】
第２の態様の可能な実施形態では、前記制御モジュールはさらに、
ウェイクアップされた後の予め設定された期間内にユーザから入力された音声コマンドを受信していない場合、続いて前記複数のデスクトップを循環表示するために用いられる。
【００１８】
第２の態様の可能な実施形態では、前記取得モジュールは具体的には、
前記デスクトップ表示コマンドに基づき、デスクトップ表示ルールを取得し、
前記デスクトップ表示ルールに基づき、前記複数のデスクトップ及び前記複数のデスクトップのそれぞれに対応する表示時間を取得するために用いられる。
【００１９】
第２の態様の可能な実施形態では、前記取得モジュールは具体的には、
前記デスクトップ表示ルールに基づき、複数の表示テーマ及び各表示テーマに対応する、ユーザが前記表示テーマを選択する確率を指示するためのヒット率を取得し、
前記複数の表示テーマ、各表示テーマに対応するヒット率及び予め設定されたデスクトップ表示テンプレートに基づき、前記複数のデスクトップ及び前記複数のデスクトップのそれぞれに対応する表示時間を取得し、前記デスクトップが少なくとも１つの前記表示テーマを含むために用いられる。
【００２０】
第２の態様の可能な実施形態では、前記取得モジュールは具体的には、
前記複数のデスクトップのそれぞれに対応するデスクトップ表示テンプレートの表示時間を前記複数のデスクトップのそれぞれに対応する表示時間として決定するために用いられる。
【００２１】
第２の態様の可能な実施形態では、前記デスクトップ表示ルールは、デフォルト表示デスクトップに基づいた表示、ユーザの履歴視聴情報に基づいた表示、ユーザの履歴検索情報に基づいた表示、ユーザの好み情報に基づいた表示、及びユーザのユーザ画像情報に基づいた表示、のうちの少なくとも１つを含む。
【００２２】
本発明の第３の態様にて提供されるテレビデスクトップの表示装置は、メモリ及びプロセッサを含み、
前記メモリは、プログラムコマンドを記憶するために用いられ、
前記プロセッサは、第１の態様のいずれかの実施形態にて提供されるテレビデスクトップの表示方法を実現するように、前記メモリに記憶された前記プログラムコマンドを呼び出すために用いられる。
【００２３】
本発明の第４の態様にて提供される記憶媒体は、読み取り可能な記憶媒体及びコンピュータプログラムを含み、前記コンピュータプログラムが第１の態様のいずれかの実施形態にて提供されるテレビデスクトップの表示方法を実現するために用いられる。
【発明の効果】
【００２４】
本発明は、テレビデスクトップの表示方法及び装置を提供し、複数のデスクトップのそれぞれに対応する表示時間に基づき、複数のデスクトップを循環表示することにより、テレビデスクトップ表示の過程において、デスクトップを切り替え単位として、持続的、且つ自動的に閲覧する推薦形式で、ユーザがテレビデスクトップを絶え間なく閲覧し続けることを実現でき、マンマシンインタラクション効果を高めさせ、ユーザ体験を向上させる。
【図面の簡単な説明】
【００２５】
本発明の実施例、又は従来技術における技術的解決手段をより明確に説明するために、以下では、実施例、又は従来技術の説明で使用する必要のある図面を簡単に説明する。明らかなように、以下説明した図面は、本発明のいくつかの実施例であり、当業者にとって、創造的な労力を要することなく、これらの図面に基づいて他の図面を得ることができる。
【図１】本発明に適用されるテレビシステムの概略構造図である。
【図２】本発明の実施例によるテレビデスクトップの表示方法のフローチャートである。
【図３】本発明の実施例によるデスクトップの１つの概略図である。
【図４】本発明の実施例によるデスクトップの別の概略図である。
【図５】本発明の実施例１によるテレビデスクトップの表示装置の概略構造図である。
【図６】本発明の実施例２によるテレビデスクトップの表示装置の概略構造図である。
【発明を実施するための形態】
【００２６】
図１は、本発明に適用されるテレビシステムの概略構造図である。図１に示すように、テレビシステムは、テレビデスクトップの表示装置１００及びテレビ２００を含んでよい。一実施形態において、テレビシステムはさらに、クラウドサーバ３００を含んでもよい。本発明では、テレビデスクトップの表示装置１００とテレビ２００との接続形態、及びテレビデスクトップの表示装置１００とクラウドサーバ３００との接続形態について特に限定しない。例えば、テレビデスクトップの表示装置１００とテレビ２００は、有線又は無線の形態によって接続されてよい。テレビデスクトップの表示装置１００とクラウドサーバ３００は、無線の形態によって接続されてもよい。本発明では、有線及び無線の接続形態について特に限定しない。
【００２７】
テレビデスクトップの表示装置１００はユーザから入力されたインタラクティブ情報を受信するとともに、前記インタラクティブ情報に基づき、テレビ２００を制御してそれ相応の表示を行ってよい。本発明では、テレビデスクトップの表示装置１００がインタラクティブ情報を処理する実現形態について特に限定しない。一実施形態において、テレビデスクトップの表示装置１００は、前記インタラクティブ情報を処理して処理結果を取得するとともに、前記処理結果に基づき、テレビ２００を制御して表示してよい。一実施形態において、テレビデスクトップの表示装置１００は、前記インタラクティブ情報をクラウドサーバ３００に送信してよい。それに相応するように、クラウドサーバ３００は、前記インタラクティブ情報を処理するとともに、処理結果を取得し、さらに前記処理結果をテレビデスクトップの表示装置１００に送信してよい。テレビデスクトップの表示装置１００は、前記処理結果に基づき、テレビ２００を制御して表示してよい。本発明では、ユーザから入力されたインタラクティブ情報について特に限定しない。例えば、ユーザは、テレビデスクトップの表示装置１００に音声情報を入力し、テレビデスクトップの表示装置１００は、該音声情報をクラウドサーバ３００に送信し、クラウドサーバ３００は、該音声情報を識別することで音声コマンドを取得し、それにより、該音声コマンドに基づき処理結果を取得してよい。
【００２８】
なお、本発明では、テレビ２００の特定のモデル及び実現形態について特に限定せず、テレビデスクトップの表示装置１００の形状、構造及び実現形態について特に限定しない。一実施形態において、テレビデスクトップの表示装置１００は、ハウジング及びハウジング内に設置されたプロセッサ、メモリ、音声収集装置、音声放出装置及びトランシーバ、などを含んでよい。音声収集装置は、ユーザから入力された音声情報を取得するために用いられてよい。トランシーバは、前記音声情報をクラウドサーバ３００に送信するとともに、クラウドサーバ３００から処理結果を受信するために用いられてよい。プロセッサは、テレビ２００を制御して表示するために用いられてよい。音声放出装置は、音声データを放送するために用いられてよい。本発明では、各部品の実現形態について特に限定しない。例えば、音声収集装置は、マイクロホンのアレイであるか、又は少なくとも１つのマイクロホンを含んでよい。例えば、音声放出装置は、少なくとも１つのホーンを含んでよい。
【００２９】
以下、本発明の実施例における図面を参照しながら、本発明の実施例における技術的解手段を明確、且つ完全に説明する。明らかなように、説明される実施例は、本発明の実施例の一部のみに過ぎず、全ての実施例ではない。本発明の実施例に基づき、創造的な努力なしに当業者によって得られる他の全ての実施例は、本発明の特許請求の範囲として保護されるべきである。
【００３０】
図２は、本発明の実施例によるテレビデスクトップの表示方法のフローチャートである。本実施例によるテレビデスクトップの表示方法は、実行主体がテレビデスクトップの表示装置であってよい。図２に示すように、本実施例によるテレビデスクトップの表示方法は、Ｓ２０１〜Ｓ２０３を含んでよい。
【００３１】
Ｓ２０１では、デスクトップ表示コマンドを受信する。
【００３２】
デスクトップ表示コマンドはテレビスクリーンにデスクトップを表示するように指示するために用いられる。
【００３３】
以下、デスクトップ表示コマンドを受信する実現形態について説明する。
【００３４】
１つの実現形態では、テレビデスクトップの表示装置が初期通電すると、デスクトップ表示コマンドを受信する。
【００３５】
具体的には、該実現形態は、テレビデスクトップの表示装置の初期通電、起動のシーンに関する。テレビデスクトップの表示装置が通電することが検出された後、デスクトップ表示コマンドを受信してよい。
【００３６】
別の実現形態では、テレビデスクトップの表示装置が待機状態から作動状態に転換すると、デスクトップ表示コマンドを受信する。
【００３７】
具体的には、該実現形態は、テレビデスクトップの表示装置の待機状態及び作動状態という２つの状態に関する。待機状態とは、テレビデスクトップの表示装置に既に電源が投入されたが、いずれかの実質的なデータ処理が行われていない状態を意味する。テレビデスクトップの表示装置が待機状態から作動状態に転換すると、デスクトップ表示コマンドを受信する。本実施例では、テレビデスクトップの表示装置が待機状態から作動状態に転換するトリガ形態について特に限定しない。一実施形態において、ユーザから入力された第１音声コマンドを受信するか、又はリモコンから送信された第１制御コマンドを受信してよく、前記第１音声コマンド、又は前記第１制御コマンドは、テレビデスクトップの表示装置が待機状態から作動状態に転換するように指示するために用いられる。
【００３８】
さらに別の実現形態では、ユーザから入力された第２音声コマンド、又はリモコンから送信された第２制御コマンドを受信すると、前記デスクトップ表示コマンドを受信し、前記第２音声コマンド、又は前記第２制御コマンドが表示デスクトップに戻るように指示するために用いられる。
【００３９】
具体的には、該実現形態は、正常作動状態の場合に表示デスクトップに戻るシーンに関する。例えば、テレビがドラマを放送している場合、ユーザから「こんにちは、放送を終了し、ホームページに戻ってください」と言われると、デスクトップ表示コマンドを受信することができる。また、例えば、テレビがドラマを放送している場合、ユーザがリモコン上における「メニュー」ボタンを押すと、デスクトップ表示コマンドを受信することができる。
【００４０】
Ｓ２０２では、デスクトップ表示コマンドに基づき、複数のデスクトップ及び複数のデスクトップのそれぞれに対応する表示時間を取得する。
【００４１】
具体的には、デスクトップ表示コマンドを受信した後、複数のデスクトップを取得することができる。各デスクトップにいずれも表示時間が対応される。デスクトップの表示時間は、該デスクトップの滞在時間を指示するために用いられる。例えば、デスクトップに対応する表示時間が１０秒であると、該デスクトップを表示する時、該デスクトップが１０秒を持続的に表示する。本実施例では、デスクトップに対応する表示時間の具体値について特に限定しない。一実施形態において、複数のデスクトップのそれぞれに対応する表示時間は、同じであるものであってもよく、異なるものであってもよい。
【００４２】
Ｓ２０３では、複数のデスクトップのそれぞれに対応する表示時間に基づき、複数のデスクトップを循環表示する。
【００４３】
具体的には、各デスクトップにいずれも表示時間が対応されるため、複数のデスクトップのそれぞれに対応する表示時間に基づき、複数のデスクトップを循環表示することができる。以下、例を挙げて説明する。例えば、５つのデスクトップを取得し、それぞれデスクトップ１〜デスクトップ５にマークし、それぞれ対応する表示時間が１０秒、５秒、５秒、３秒、３秒である。仮に、デスクトップ１〜デスクトップ５の順序に従って表示すると、自動的に表示するデスクトップは、順に、デスクトップ１が１０秒、デスクトップ２が５秒、デスクトップ３が５秒、デスクトップ４が３秒、デスクトップ５が３秒、デスクトップ１が１０秒、デスクトップ２が５秒表示し、…、それにより複数のデスクトップの循環表示を実現する。
【００４４】
なお、本実施例では、複数のデスクトップの表示順序について特に限定しない。
【００４５】
本実施例によるテレビデスクトップの表示方法は、テレビデスクトップを表示するシーンにおいて、各デスクトップのそれぞれに対応する表示時間を取得することにより、複数のデスクトップのそれぞれに対応する表示時間に基づき、複数のデスクトップを循環表示することができることが分かる。テレビデスクトップ表示の過程において、ユーザが頻繁にリモコンを操作し、又は頻繁にマンマシンインタラクションを行うことを必要とせず、デスクトップを切り替え単位として、無期限、且つ自動的に閲覧し続ける推薦形式で、何らかのインタラクティブ過程もなく、ユーザがテレビデスクトップを絶え間なく閲覧し続けることを実現でき、マンマシンインタラクション効果を高めさせ、ユーザ体験を向上させる。
【００４６】
なお、本実施例では、デスクトップの実現形態及びデスクトップに含まれる具体的な内容について特に限定しない。例えば、デスクトップは、二次元ピクチャであってもよい。又は、デスクトップは、従来のデスクトップ形式であってもよい。
【００４７】
一実施形態において、デスクトップは、ユーザが音声コマンドを入力することを案内するための音声案内情報を含んでよい。
【００４８】
具体的には、デスクトップに音声案内情報を設置することにより、音声案内情報及びデスクトップの表示内容を組み合わせると、ユーザが正確な音声コマンドを入力することを案内することができ、それによりデスクトップの表示内容とインタラクティブを行い、ユーザと機器との間の音声インタラクティブ形態を実現する。ユーザが音声インタラクティブ形態によって表示内容にヒットする場合、対応する内容に自動的にジャンプする。リモコンインタラクティブ形態と比べて、ユーザがマンマシンインタラクションの形態によってマンマシンインタラクションを実現し、さらにマンマシンインタラクション効果及びインタラクティブ効率を高めさせ、ユーザ体験を向上させる。
【００４９】
なお、本実施例では、音声案内情報の実現形態及びその中に含まれる具体的な内容について特に限定しない。例えば、音声案内情報は、文字及びアニメのうちの少なくとも１つを含んでよい。以下、例を挙げて、デスクトップ及び音声案内情報について説明する。
【００５０】
図３は、本発明の実施例によるデスクトップの１つの概略図である。図３に示すように、該デスクトップには、「ビデオエンターテインメント」、「ライフ百科事典」及び「知能高め教育」という３つの表示テーマを含む。各表示テーマにいずれも音声案内情報が対応される。例えば、表示テーマ「ビデオエンターテインメント」に対応する音声案内情報は、「こんにちは、映画ＸＸを見たい」、「こんにちは、ＹＹを見たい」を含む。ユーザから「ドラマＷＷを見たい」と言われると、正確な音声コマンドになる。テレビデスクトップの表示装置がユーザから入力された音声コマンドを受信した後、テレビがドラマＷＷを放送するように制御できる。また、例えば、表示テーマ「知能高め教育」に対応する音声案内情報は、「こんにちは、虹がなぜ色とりどりか」、「こんにちは、「牀前、月光を看る」の次の文」を含む。また、例えば、音声案内情報はさらに、「こんにちは、次のページ」、「こんにちは、前のページ」、「こんにちは、バラエティ」を含む。ユーザから「こんにちは、前のページ」と言われると、正確な音声コマンドになる。テレビデスクトップの表示装置がユーザから入力された音声コマンドを受信した後、テレビスクリーンに現在デスクトップの前のデスクトップを表示するように制御できる。
【００５１】
図４は、本発明の実施例によるデスクトップの別の概略図である。図４に示すように、該デスクトップには、具体的には「ビデオエンターテインメント」である１つの表示テーマを含む。音声案内情報は、「こんにちは、映画ＸＸを見たい」、「こんにちは、ドラマＺＺを見たい」、「こんにちは、ＹＹを見たい」、「こんにちは、ＹＹを放送してください」を含む。ユーザから「こんにちは、ＷＷを放送してください」と言われると、正確な音声コマンドになる。テレビデスクトップの表示装置がユーザから入力された音声コマンドを受信した後、テレビがドラマＷＷを放送するように制御できる。
【００５２】
本実施例によるテレビデスクトップの表示方法はさらに、
現在、第１デスクトップを表示する場合、ユーザから入力された音声ウェイクアップワードを受信するステップと、
ウェイクアップされた後の予め設定された期間内にユーザから入力された音声コマンドを受信すると、複数のデスクトップの循環表示を停止するとともに、音声コマンドを処理するステップと、
ウェイクアップされた後の予め設定された期間内にユーザから入力された音声コマンドを受信していない場合、続いて複数のデスクトップを循環表示するステップと、を含んでもよい。
【００５３】
具体的には、音声ウェイクアップワードがテレビデスクトップの表示装置をウェイクアップするために用いられる。本実施例では、音声ウェイクアップワードの具体的な内容について特に限定せず、必要に応じて設定してもよい。例えば、音声ウェイクアップワードは、こんにちは、したい、くださいなどを含んでもよい。複数のデスクトップを循環表示する過程で、テレビスクリーンに現在、第１デスクトップを表示する場合、ユーザから入力された音声ウェイクアップワードを受信し、テレビデスクトップの表示装置をウェイクアップする。テレビデスクトップの表示装置がウェイクアップされる予め設定された期間内において、ユーザから入力された音声コマンドを受信すると、複数のデスクトップの循環表示を停止するとともに、該音声コマンドを処理する。後続については、該音声コマンドの処理結果に基づき、テレビスクリーンを制御してそれ相応の表示を行ってよい。テレビデスクトップの表示装置がウェイクアップされる予め設定された期間内において、ユーザから入力された音声コマンドを受信していない場合、続いて複数のデスクトップを循環表示する。なお、本実施例では、予め設定された期間の具体値について特に限定しない。
【００５４】
なお、ユーザから入力された音声ウェイクアップワード及びユーザから入力された音声コマンドは、同時に入力されたものであってよい。例えば、上記した例では、ユーザから「こんにちは、ＷＷを放送してください」と言われると、「こんにちは」は音声ウェイクアップワードであり、また、音声情報「こんにちは、ＷＷを放送してください」に基づき、ユーザから入力された音声コマンドがＷＷを放送するために用いられることを決定することができる。
【００５５】
ユーザから入力された音声ウェイクアップワード及び音声コマンドを受信することにより、ユーザと機器との間の音声インタラクティブ形態を実現することが分かる。リモコンインタラクティブ形態と比べて、ユーザがマンマシンインタラクションの形態によってマンマシンインタラクションを実現し、さらにマンマシンインタラクション効果及びインタラクティブ効率を高めさせ、ユーザ体験を向上させる。
【００５６】
本実施例によるテレビデスクトップの表示方法は、Ｓ２０２において、デスクトップ表示コマンドに基づき、複数のデスクトップ及び複数のデスクトップのそれぞれに対応する表示時間を取得するステップは、
デスクトップ表示コマンドに基づき、デスクトップ表示ルールを取得するステップと、
デスクトップ表示ルールに基づき、複数のデスクトップ及び複数のデスクトップのそれぞれに対応する表示時間を取得するステップと、を含んでよい。
【００５７】
具体的には、デスクトップ表示コマンドに基づき、デスクトップ表示ルールを取得することができる。異なるデスクトップ表示ルールが異なるシーンに適用することができる。デスクトップ表示ルールに基づき、複数のデスクトップ及び各デスクトップに対応する表示時間を取得し、デスクトップ表示とシーンの応用、ユーザ間の関連性を向上させ、取得された複数のデスクトップが高い確率でユーザの興味のある内容にヒットするようにし、さらにマンマシンインタラクション効果を高めさせ、ユーザ体験を向上させる。
【００５８】
なお、本実施例では、デスクトップ表示ルールについて特に限定しない。一実施形態において、デスクトップ表示ルールは、デフォルト表示デスクトップに基づいた表示、ユーザの履歴視聴情報に基づいた表示、ユーザの履歴検索情報に基づいた表示、ユーザの好み情報に基づいた表示、及びユーザのユーザ画像情報に基づいた表示、のうちの少なくとも１つを含む。ここで、デフォルト表示デスクトップに基づいた表示は、予め設定された複数のデスクトップ及び各デスクトップの予め設定された表示時間に基づき表示でき、実現形態が簡単で実行しやすい。本実施例では、予め設定されたデスクトップの数量、具体的な形式及び対応する表示時間の具体的な時間長について特に限定しない。ここで、ユーザの履歴視聴情報に基づいた表示は、ユーザがある時間内に常に視聴し、興味のある内容を反映できる。ユーザの履歴検索情報に基づいた表示は、ユーザがある時間内に常に能動的に検索する内容を反映できる。ユーザの好み情報に基づいた表示は、ユーザの興味のある内容を反映できる。ユーザのユーザ画像情報に基づいた表示は、ユーザ自身との関連度を向上できる。本実施例では、ユーザ画像情報に含まれる具体的な内容について特に限定しない。例えば、ユーザ画像情報は、ユーザの性別、年齢、学歴、就職機関などを含んでよい。異なる表示ルールは、異なるシーンに適用することができる。例えば、テレビデスクトップの表示装置が初期通電するか、又は待機状態から作動状態に転換する場合、デスクトップ表示コマンドに基づき、デスクトップ表示ルールをデフォルト表示デスクトップに基づいた表示、又はユーザのユーザ画像情報に基づいた表示として決定でき、簡単で実行しやすく、テレビデスクトップの表示時間を短縮させ、起動の速度を向上させる。また、例えば、正常の作動状態からデスクトップ表示に戻るシーンにおいて、デスクトップ表示コマンドに基づき、デスクトップ表示ルールを、ユーザの履歴視聴情報に基づいた表示、ユーザの履歴検索情報に基づいた表示、ユーザの好み情報に基づいた表示のうちのいずれか１つとして決定することができ、デスクトップがユーザニーズにヒットする確率を向上させ、インタラクティブの発生する確率が最も高い内容をユーザにリアルタイムに推薦し、マンマシンインタラクション効果を高めさせる。
【００５９】
一実施形態において、デスクトップ表示ルールに基づき、複数のデスクトップ及び複数のデスクトップのそれぞれに対応する表示時間を取得するステップは、
デスクトップ表示ルールに基づき、複数の表示テーマ及び各表示テーマに対応する、ユーザが表示テーマを選択する確率を指示するためのヒット率を取得するステップと、
複数の表示テーマ、各表示テーマに対応するヒット率及び予め設定されたデスクトップ表示テンプレートに基づき、複数のデスクトップ及び複数のデスクトップのそれぞれに対応する表示時間を取得し、デスクトップが少なくとも１つの表示テーマを含むステップと、を含んでよい。
【００６０】
具体的には、異なるデスクトップ表示ルールに基づき、複数の表示テーマを取得する。各表示テーマにヒット率が対応される。各表示テーマのそれぞれに対応するヒット率に基づき、予め設定されたデスクトップ表示テンプレートに従って、複数の表示テーマを異なるデスクトップに割り当てることにより、複数のデスクトップ及び各デスクトップのそれぞれに対応する表示時間を取得できる。ヒット率によって複数のデスクトップ及び各デスクトップのそれぞれに対応する表示時間を取得し、さらにデスクトップの内容がユーザの興味のある内容にヒットする確率を向上させ、マンマシンインタラクション効果を高めさせ、ユーザ体験を向上させる。
【００６１】
以下、図３及び図４を参照しながら、表示テーマ及びデスクトップ表示テンプレートについて例示的に説明する。
【００６２】
図３において、デスクトップは、「ビデオエンターテインメント」、「ライフ百科事典」及び「知能高め教育」という３つの表示テーマを含む。図４において、デスクトップは、具体的には「ビデオエンターテインメント」である１つの表示テーマを含む。図３に示したデスクトップのデスクトップ表示テンプレートは、複数の表示テーマを含んでよく、図４に示したデスクトップのデスクトップ表示テンプレートは、１つの表示テーマを含んでよい。
【００６３】
なお、本実施例では、表示テーマの具体的な内容及び予め設定されたデスクトップ表示テンプレートの具体的な形式について特に限定しない。
【００６４】
一実施形態において、複数のデスクトップのそれぞれに対応する表示時間を取得するステップは、
複数のデスクトップのそれぞれに対応するデスクトップ表示テンプレートの表示時間を複数のデスクトップのそれぞれに対応する表示時間として決定するステップを含んでよい。
【００６５】
以下、依然として図３及び図４を例として、例示的に説明する。各予め設定されたデスクトップ表示テンプレートに表示時間が対応されてよく、本実施例では、表示時間の具体値について特に限定しない。例えば、図３に示したデスクトップ表示テンプレートは、複数の表示テーマを含み、図４に示したデスクトップ表示テンプレートは、１つの表示テーマのみを含むため、図３に示したデスクトップ表示テンプレートに対応する表示時間は、図４に示したデスクトップ表示テンプレートに対応する表示時間より長くしてよい。
【００６６】
本実施例によるテレビデスクトップの表示方法は、デスクトップ表示コマンドを受信するステップと、デスクトップ表示コマンドに基づき、複数のデスクトップ及び複数のデスクトップのそれぞれに対応する表示時間を取得するステップと、複数のデスクトップのそれぞれに対応する表示時間に基づき、複数のデスクトップを循環表示するステップと、を含む。本実施例によるテレビデスクトップの表示方法は、複数のデスクトップのそれぞれに対応する表示時間に基づき、複数のデスクトップを循環表示してよい。テレビデスクトップの表示過程において、デスクトップを切り替え単位として、無期限、且つ自動的に閲覧し続ける推薦形式で、ユーザがテレビデスクトップを絶え間なく閲覧し続けることを実現でき、マンマシンインタラクション効果を高めさせ、ユーザ体験を向上させる。
【００６７】
図５は、本発明の実施例１によるテレビデスクトップの表示装置の概略構造図である。本実施例によるテレビデスクトップの表示装置は、図２〜図４に示した実施例によるテレビデスクトップの表示方法を実行するために用いられる。図５に示すように、本実施例によるテレビデスクトップの表示装置は、
デスクトップ表示コマンドを受信するために用いられる受信モジュール５１と、
前記デスクトップ表示コマンドに基づき、複数のデスクトップ及び前記複数のデスクトップのそれぞれに対応する表示時間を取得するために用いられる取得モジュール５２と、
前記複数のデスクトップのそれぞれに対応する表示時間に基づき、前記複数のデスクトップを循環表示するために用いられる制御モジュール５３と、を含んでよい。
【００６８】
一実施形態において、前記デスクトップは、ユーザが音声コマンドを入力することを案内するための音声案内情報を含む。
【００６９】
一実施形態において、現在、第１デスクトップを表示する場合、前記受信モジュール５１はさらに、ユーザから入力された音声ウェイクアップワードを受信するために用いられ、
制御モジュール５３はさらに、ウェイクアップされた後の予め設定された期間内にユーザから入力された音声コマンドを受信すると、前記複数のデスクトップの循環表示を停止するとともに、前記音声コマンドを処理するために用いられる。
【００７０】
一実施形態において、制御モジュール５３はさらに、
ウェイクアップされた後の予め設定された期間内にユーザから入力された音声コマンドを受信していない場合、続いて前記複数のデスクトップを循環表示するために用いられる。
【００７１】
一実施形態において、取得モジュール５２は具体的には、
前記デスクトップ表示コマンドに基づき、デスクトップ表示ルールを取得し、
前記デスクトップ表示ルールに基づき、前記複数のデスクトップ及び前記複数のデスクトップのそれぞれに対応する表示時間を取得するために用いられる。
【００７２】
一実施形態において、前記取得モジュール５２は具体的には、
前記デスクトップ表示ルールに基づき、複数の表示テーマ及び各表示テーマに対応する、ユーザが前記表示テーマを選択する確率を指示するためのヒット率を取得し、
前記複数の表示テーマ、各表示テーマに対応するヒット率及び予め設定されたデスクトップ表示テンプレートに基づき、前記複数のデスクトップ及び前記複数のデスクトップのそれぞれに対応する表示時間を取得し、ここで、前記デスクトップが少なくとも１つの前記表示テーマを含むために用いられる。
【００７３】
一実施形態において、前記取得モジュール５２は具体的には、
前記複数のデスクトップのそれぞれに対応するデスクトップ表示テンプレートの表示時間を前記複数のデスクトップのそれぞれに対応する表示時間として決定するために用いられる。
【００７４】
一実施形態において、前記デスクトップ表示ルールは、デフォルト表示デスクトップに基づいた表示、ユーザの履歴視聴情報に基づいた表示、ユーザの履歴検索情報に基づいた表示、ユーザの好み情報に基づいた表示、及びユーザのユーザ画像情報に基づいた表示、のうちの少なくとも１つを含む。
【００７５】
本実施例によるテレビデスクトップの表示装置は、図２〜図４に示した実施例によるテレビデスクトップの表示方法を実行するために用いられ、具体的な実現形態及び技術的効果は同様であり、ここでは説明を省略する。
【００７６】
図６は、本発明の実施例２によるテレビデスクトップの表示装置の概略構造図である。図６に示すように、前記テレビデスクトップの表示装置は、プロセッサ６１及びメモリ６２を含んでよい。メモリ６２は、コマンドを記憶するために用いられ、前記プロセッサ６１は、前記テレビデスクトップの表示装置が図２〜図４に示した実施例によるテレビデスクトップの表示方法を実行するように、メモリ６２に記憶されたコマンドを実行するために用いられ、具体的な実現形態及び技術的効果は同様であり、ここでは説明を省略する。前記テレビデスクトップの表示装置はさらに、トランシーバ６３、音声収集装置６４及び音声放出装置６５を含んでもよい。トランシーバ６３は、その他の機器と通信するために用いられる。
【００７７】
当業者であれば、上記各方法の実施例の全て又は一部のステップの実現がプログラムで関わるハードウェアを命令することによって達成できることは、当然理解されるものであり、前述したプログラムがコンピュータ読み取り可能な記憶媒体に記憶されてよい。該プログラムが実行される際に、上記各方法の実施例のステップを実行する。前述した記憶媒体は、ＲＯＭ、ＲＡＭ、磁気ディスク又は光ディスクなど、様々なプログラムコードを記憶できる媒体を含む。
【００７８】
最後に、以上の各実施例は、本発明の技術的解決手段を説明するためのものであって、これを制限するものではない。前述した各実施例を参照しながら、本発明について、詳細に説明したが、当業者であれば、前述した各実施例に説明されている技術的解決手段に対する修正や、そのうちの一部又は全ての技術的特徴に対する同等置換が可能であり、これらの修正や、置換が、対応する技術的解決手段の本質を本発明の各実施例の技術的解決手段の範囲から逸脱させないことは、当然理解されるものである。
【図１】
2020184743.tif 000003
【図２】
2020184743.tif 000004
【図３】
2020184743.tif 000005
【図４】
2020184743.tif 000006
【図５】
2020184743.tif 000007
【図６】
2020184743.tif 000008